【手続補正書】
【提出日】平成27年11月19日(2015.11.19)
【手続補正１】
【補正対象書類名】特許請求の範囲
【補正対象項目名】全文
【補正方法】変更
【補正の内容】
【特許請求の範囲】
【請求項１】
ピクチャが分割されることにより得られた複数のタイルの一つである対象タイルから他のタイルへの参照が禁止されることを示す制限情報を、ビットストリームから復号する制限情報復号ステップと、
複数の予測動きベクトル候補と、前記複数の予測動きベクトル候補の各々の予測動きベクトルインデックスを示す予測動きベクトルリストを生成するリスト生成ステップと、
前記ビットストリームから、前記対象タイルに含まれる対象ブロックのための予測動きベクトルインデックスを復号するインデックス復号ステップと、
前記予測動きベクトルリストにおいて、復号された前記予測動きベクトルインデックスに対応する予測動きベクトル候補を用いて、前記対象ブロックを復号するブロック復号ステップとを含み、
前記リスト生成ステップでは、前記対象ブロックの右下のブロックの時間動きベクトルを含まない前記予測動きベクトルリストを生成する
画像復号方法。
【請求項２】
前記リスト生成ステップでは、
前記右下のブロックが、前記対象タイル外であるかを判定し、
前記右下のブロックが、前記対象タイル外である場合、前記予測動きベクトルリストに、前記右下のブロックの前記時間動きベクトルを含めない
請求項１記載の画像復号方法。
【請求項３】
前記リスト生成ステップでは、前記対象ブロックの右下のブロックの前記時間動きベクトル、及び、前記対象ブロックの中央の位置のブロックの時間動きベクトルのいずれも含まない前記予測動きベクトルリストを生成する
請求項１記載の画像復号方法。
【請求項４】
前記リスト生成ステップでは、前記予測動きベクトルリストに、前記対象ブロックの右下のブロックの時間動きベクトルの代わりに値ゼロの動きベクトルを含める
請求項１記載の画像復号方法。
【請求項５】
前記リスト生成ステップでは、前記対象ブロックの中央の位置のブロックの時間動きベクトルを含む前記予測動きベクトルリストを生成する
請求項１記載の画像復号方法。
【請求項６】
前記ブロック復号ステップでは、前記復号された予測動きベクトルインデックスが前記予測動きベクトルリストに存在しない場合、前記予測動きベクトルリストに含まれる複数の予測動きベクトルインデックスのうち最大の予測動きベクトルインデックスに対応する予測動きベクトル候補を用いて、前記対象ブロックを復号する
請求項１記載の画像復号方法。
【請求項７】
前記ブロック復号ステップでは、前記復号された予測動きベクトルインデックスが前記予測動きベクトルリストに存在しない場合、前記予測動きベクトルリストに含まれる複数の予測動きベクトルインデックスのうち最小の予測動きベクトルインデックスに対応する予測動きベクトル候補を用いて、前記対象ブロックを復号する
請求項１記載の画像復号方法。
【請求項８】
前記ブロック復号ステップでは、前記復号された予測動きベクトルインデックスが前記予測動きベクトルリストに存在しない場合、値ゼロの動きベクトルを用いて、前記対象ブロックを復号する
請求項１記載の画像復号方法。
【請求項９】
ピクチャを複数のタイルに分割する分割ステップと、
前記複数のタイルの一つである対象タイルから他のタイルへの参照が禁止されることを示す制限情報を符号化する制限情報符号化ステップと、
複数の予測動きベクトル候補と、前記複数の予測動きベクトル候補の各々の予測動きベクトルインデックスを示す予測動きベクトルリストを生成するリスト生成ステップと、
前記複数の予測動きベクトル候補のうちいずれかを選択し、前記予測動きベクトルリストにおいて、選択された前記予測動きベクトル候補に対応する予測動きベクトルインデックスを符号化するインデックス符号化ステップと、
選択された前記予測動きベクトル候補を用いて、前記対象タイルに含まれる対象ブロックを符号化するブロック符号化ステップとを含み、
前記リスト生成ステップでは、前記予測動きベクトルリストに、前記対象ブロックの右下のブロックの時間動きベクトルを含めない
画像符号化方法。
【請求項１０】
前記リスト生成ステップでは、
前記右下のブロックが、前記対象タイル外であるかを判定し、
前記右下のブロックが、前記対象タイル外である場合、前記予測動きベクトルリストに、前記右下のブロックの前記時間動きベクトルを含めない
請求項９記載の画像符号化方法。
【請求項１１】
前記リスト生成ステップでは、前記対象ブロックの右下のブロックの前記時間動きベクトル、及び、前記対象ブロックの中央の位置のブロックの時間動きベクトルのいずれも含まない前記予測動きベクトルリストを生成する
請求項９記載の画像符号化方法。
【請求項１２】
前記リスト生成ステップでは、前記予測動きベクトルリストに、前記時間動きベクトル、結合双予測ベクトル、及び値ゼロの動きベクトルを含めない
請求項１１記載の画像符号化方法。
【請求項１３】
前記ブロック符号化ステップでは、前記対象ブロックを、イントラ予測を用いて符号化する
請求項９記載の画像符号化方法。
【請求項１４】
前記ブロック符号化ステップでは、空間動きベクトル候補が使用できない場合、前記対象ブロックを、イントラ予測を用いて符号化する
請求項９記載の画像符号化方法。
【請求項１５】
前記リスト生成ステップでは、
前記対象ブロックが、前記タイルの右端のブロック又はスライスであるかを判定し、
前記対象ブロックが、前記タイルの右端のブロック又はスライスである場合、前記予測動きベクトルリストに、前記右下のブロックの前記時間動きベクトルを含めない
請求項９記載の画像符号化方法。
【請求項１６】
前記画像符号化方法は、さらに、
双方向参照時において、後方ピクチャ用の参照画像リストを用いる場合に、使用される動きベクトルと予測動きベクトルとの差分を符号化するか否かを示すフラグを符号化するフラグ符号化ステップと、
前記参照画像リストを用いる場合に、予測動きベクトルが前記対象タイル外を参照するかを判定するは判定ステップと、
前記フラグにより前記差分を符号化しないことが示され、かつ、前記参照画像リストを用いる場合に、前記予測動きベクトルが前記対象ブロックを含む前記タイル外を参照する場合、双方向参照を禁止する禁止ステップとを含む
請求項９記載の画像符号化方法。
【請求項１７】
前記画像符号化方法は、さらに、
双方向参照時において、後方ピクチャ用の参照画像リストを用いる場合に、使用される動きベクトルと予測動きベクトルとの差分を符号化するか否かを示すフラグを符号化するフラグ符号化ステップを含み、
前記フラグ符号化ステップでは、前記制限情報により、前記対象タイルから前記他のタイルへの参照が禁止されていることが示される場合には、前記差分を符号化することを示す前記フラグを符号化する
請求項９記載の画像符号化方法。
【請求項１８】
前記画像符号化方法は、さらに、
前記制限情報により、前記対象タイルから前記他のタイルへの参照が禁止されていることが示される場合、タイル境界に接するブロックの量子化パラメータを、他のブロックの量子化パラメータより小さく設定する設定ステップを含む
請求項９〜１７のいずれか１項に記載の画像符号化方法。
【請求項１９】
符号化対象ピクチャ内に含まれる隣接する複数タイルの符号化において、
符号化対象である対象タイル内に含まれる対象ブロックが、前記複数タイル間のタイル境界に隣接するか否かを判断し、
（ｉ）前記対象ブロックが前記タイル境界に隣接する場合には、前記符号化対象ピクチャと異なるピクチャの動きベクトルを参照する時間動きベクトル候補を用いずに、前記時間動きベクトル候補以外の他の動きベクトル候補の中から選択された動きベクトルを用いて前記対象ブロックの予測を行い、（ｉｉ）前記対象ブロックが前記タイル境界に隣接しない場合には、前記時間動きベクトル候補及び前記他の動きベクトル候補の中から選択された動きベクトルを用いて、前記対象ブロックの予測を行う
画像符号化方法。
【請求項２０】
（ｉ）前記対象ブロックが前記タイル境界に隣接する場合には、前記他の動きベクトル候補の一つを示す識別子を前記対象ブロック単位で符号化し、（ｉｉ）前記対象ブロックが前記タイル境界に隣接しない場合には、前記時間動きベクトル候補及び前記他の動きベクトル候補の内の一つを示す識別子を前記対象ブロック単位で符号化する
請求項１９記載の画像符号化方法。
【請求項２１】
復号部と、
前記復号部からアクセス可能な記憶装置とを備え、
前記復号部は、
請求項１記載の画像復号方法を実行する
画像復号装置。
【請求項２２】
符号化部と、
前記符号化部からアクセス可能な記憶装置とを備え、
前記符号化部は、
請求項９又は１９記載の画像符号化方法を実行する
画像符号化装置。